(57)【要約】      （修正有）【課題】安価で小型の家庭でも使用可能であって、温熱治療効果も十分期待できる温熱治療器を提供する。【解決手段】鉱物粉を練り込んだゴム・シートないしはゴム・プレートに難燃剤を配合したゴム基材６に赤外線や遠赤外線などの光線を放射する鉱物や岩石の粉末を練り込み、それを加温する熱源（電熱ヒータ）８を組み合わせたことを特徴とする。【選択図】図２
2010036001.tif 000002
【特許請求の範囲】
【請求項１】
シリコーン系ゴム、エラストマーゴム、アクリル系ゴムあるいは天然ゴム１００部に、トルマリンなど、遠赤外線、近赤外線を放射する鉱物やセラミックスを粉砕し得た粉末（０．１μｍ〜１００μｍ）を２部〜５０部混練りし、０．５ｍｍ〜４ｍｍの厚さに成型したゴム・プレートを加熱用電気ヒーターと組み合わせた温熱治療器。
【請求項２】
請求項１のゴム・プレートにジシアンジアミド、ホウ砂、水酸化アルミニウムなどの難燃剤を５部〜２５部添加したゴム板。
【発明の詳細な説明】
【技術分野】
【０００１】  この発明は、遠赤外線や赤外線（以下、赤外線類と言う）を放射する鉱物や岩石（以下、鉱物類と言う）を利用した温熱治療器に関するものである。【０００２】  鉱物類は加熱すると赤外線類を放射することがわかっている。鉱物類の中にはトルマリンのように多量の赤外線類を放射するものも発見されている。【０００３】  「石焼いも」が古くからの赤外線類の利用例である。また近年、赤外線類を利用する製品が多く開発、上市されていて、医療やヘルスケア、農業など生命に係わる分野で大きく貢献している。
【背景技術】
【０００４】  最近ブームになった赤外線類利用サービスとして岩盤浴がある。これは、赤外線類を多量に放射する岩石を蒸気などの熱源で温め、その岩石から放射される赤外線類を身体に浴びて血行を改善し、凝りや張り、痺れあるいは慢性的な疾病を快癒させるのに効果を発揮している。従来型のドライ・サウナでも、昨今では赤外線類を放射する鉱物をバーナーなどで加熱することも多くなってきた。【０００５】  ほかに赤外線類を利用したものとして赤外線ランプがあり、整形外科のリハビリ・ルームや接骨院などの治療器として使用されている。赤外線ランプは局所利用が一般で、全身治療には向いていない。
【発明の開示】
【発明が解決しようとする課題】
【０００６】  従来技術では岩盤浴場やサウナ場として大きな設備を構えなければならず、日常的に家庭で使用できるものではなく、設備の大きさから当然価格も高いものである。本発明は、安価、コンパクトであって、市井の岩盤浴場と同じ、あるいはそれ以上の効果を家庭内で得られる温熱治療器の提供を目的としている。【０００７】  治療用赤外線ランプも高価で、家庭での収納性を問われるほど大きい。また、火傷を回避するため赤外線放射源の高出力化が不可欠で装置が大掛かりになると指摘されている（特開２００６−５５４８４号）。治療範囲が局所的であることも欠点のひとつであり、全身治療には向いていない。
【課題を解決するための手段】
【０００８】  赤外線類を放射する鉱物類を０．１μｍ〜１００μｍに粉砕したものをゴムに練り込む。こうすることによって、ゴムの可塑性と弾性を利用して様々な形態をとることが可能となる。【０００９】  使用するゴム類にはシリコーン系ゴム、アクリル系ゴムあるいはエラストマーゴムなどが適切ではあるが、これらに限定されるものではない。【００１０】  ゴム１００部に対して練り込む鉱物類などの粉末は、２部〜５０部を範囲とするが、鉱物粉が少ないと赤外線類の放射量を期待できず、鉱物粉が多すぎるとゴムが脆くなるので、練り込む鉱物粉は１０部〜４０部程度が好ましい。鉱物粉を４０部あるいはそれ以上練り込むには、１００μｍ程度の大きめの粉末を利用すると練りこみやすい。【００１１】  混練りについては手技によって混ぜることも可能ではあるが、大量に均質に混ぜるには混練り器を使うことが望ましい。また混練り時にエアを含ませないためには脱気装置付き真空混練り器の使用が最も望ましい。【００１２】  本発明では鉱物粉を練り込んだゴム・シートないしはゴム・プレート（以下、ゴム・シート類と言う）を成型する。成型は目的の大きさの枠に鉱物粉と難燃剤を練り込んだゴムを流しいれ、スプレダーを用いて広げることによって目的の大きさのゴム・シート類を得る。【００１３】  鉱物類からの赤外線類の放射量は温度に依存する。すなわち、鉱物類の温度が高ければ高いほど赤外線類の放射量は多い。そこで、本発明では鉱物類の粉末を練り込んだゴム・シート類と温度調整装置付き電熱ヒーターを組み合わせる（図２）。【００１４】  ゴム・シート類と電熱ヒータを組み合わせたものを、表布（例えばフェルト）で包むが、その表布表面で約３０℃（中）、最高で約５０℃（高）に制御できるコントローラーを装着する。【００１５】  万が一の過熱による出火を防止するため、ゴム・シート類には成型前に難燃剤も練り込んでおく。難燃剤はジシアンジアミド、ホウ砂などが利用しやすいが、これらに限定されるものではない。固形、あるいは油系液体の難燃剤であれば使用可能であるが、ハロゲン系難燃剤は民生用を標榜する本発明には不向きである。難燃剤の添加量はその難燃効果を十分発揮する量でよく、難燃剤メーカーが推奨する添加量とする。【００１６】    本発明は、以上の構成による温熱治療器である。
【発明の効果】
【００１７】  赤外線類を放射する鉱物粉をゴムに練り込むことにより、任意の形と任意の大きさ、任意の厚さに成型することが可能となった。【００１８】  また、難燃剤を使用することにより、電熱ヒータの使用が安全となった。
【発明を実施するための最良の形態】
【００１９】  以下、本発明を実施するための最良の形態について説明する。【００２０】  シリコーン・ゴム（横浜ゴム製）１００部に、赤外線類を多量に放射する鉱物粉（倉敷市、大手開発株式会社製、粒子サイズ約１μｍ〜７μｍ）３０部とホウ砂５部を練り込んだ。均一になるまで混練りしたのち、真空脱気装置にて脱気した。【００２１】  厚み２ｍｍ（３０ｃｍ×７０ｃｍ）に調整した型枠に上記のゴムを流し入れ、スプレッダー（前出、大手開発製）を用いて広げ、一夜放置してゴム・プレートを作成した。【００２２】  上述のゴム・プレート７枚を並べ、２１０ｃｍ×７０ｃｍ、すなわち人が寝て十分な大きさのプレートを用意した。【００２３】  電熱ヒータ（線長約１３ｍ）シート２００ｃｍ×６０ｃｍをゴム・プレートに接着し、ゴム・プレートと電熱ヒータを一体にしたものをつくり、表面をフェルト布で覆った。表布とヒーター、ゴム・プレートはヒーター線を避けて糸で刺し子のように縫合する。製品サイズ２０１．５ｃｍ×７０．５ｃｍ×１．５ｃｍの温熱治療器が製作された。【００２４】  電熱ヒータは外気温＋５℃〜約５０℃に調節可能な調節器を備えている。【００２５】  製品サイズは任意であり、ゴム・プレートの厚みを厚くすることによって赤外線類の放射量を増やすことができるが、約２００ｃｍ×約７０ｃｍ×約１．５ｃｍのサイズが全身に温熱効果を得る十分かつ適切なサイズと考える。【００２６】  本発明は、以上のような構造である。
これを使用するときは、着衣あるいは診断衣などを着用したままこの上に横たわり、医師、柔道整復師などの指導により、適切な時間と温度で温熱治療を行う。【００２７】  製品サイズを小さく（例えば６０ｃｍ×３０ｃｍあるいは６０ｃｍ×２０ｃｍ）することによって、局部的に使用することができる。また、マジック・テープなどの固定具を利用して肘や膝などに巻きつけて使用することも可能である。
【図面の簡単な説明】
【００２８】
【図１】  本発明の平面図である。
【図２】  本発明の断面図である。
【符号の説明】
【００２９】  １  電源プラグ
２  コントローラー
３  コネクタ
４  本体
５  表布
６  鉱物粉入りゴム・プレート
７  保護布
８  ヒーター線
９  裏布
【図１】
2010036001.tif 000003
【図２】
2010036001.tif 000004